(57)【特許請求の範囲】
【請求項１】
かご呼びに応答してかごが目的階に到着した時から戸閉状態が所定時間だけ継続する場合に、前記かごの閉じ込め故障を検出する閉じ込め故障検出部を備え、前記閉じ込め故障検出部が前記かごの閉じ込め故障を検出する場合に、通信回線を用いて監視センタへの通報を行うエレベータ閉じ込め監視装置であって、
前記通信回線を用いた前記監視センタへの通報の開始から完了までの時間である通報処理時間を予め記憶する通報処理時間記憶部と、
前記所定時間と前記かごが到着した時からの経過時間と前記通報処理時間とを用いて、前記閉じ込め故障検出部が前記かごの閉じ込め故障を検出する時から一定時間だけ経過する時に前記監視センタへの通報が完了するように、前記監視センタへの通報を開始するタイミングを算出する通報開始タイミング算出部と、
前記通報開始タイミング算出部により算出された前記タイミングで、前記監視センタへの通報を開始する通信制御部と
を備え、
前記通報処理時間記憶部は、複数の種類の前記通信回線のそれぞれに対応した複数の前記通報処理時間を記憶し、
前記通報開始タイミング算出部は、複数の前記通報処理時間の中から、用いられる前記通信回線に対応する前記通報処理時間を選択して前記タイミングを算出することを特徴とするエレベータ閉じ込め監視装置。
【請求項２】
前記通信制御部は、前記監視センタへの通報を開始した場合であって、前記閉じ込め故障検出部が前記かごの閉じ込め故障を検出する時から前記一定時間だけ経過する前に前記かごが戸開した場合には、前記監視センタへの通報を中止することを特徴とする請求項１に記載のエレベータ閉じ込め監視装置。
【請求項３】
かご呼びに応答してかごが目的階に到着した時から戸閉状態が所定時間だけ継続する場合に、前記かごの閉じ込め故障を検出して、通信回線を用いて監視センタへの通報を行うエレベータ閉じ込め監視方法であって、
前記所定時間と、前記かごが到着した時からの経過時間と、前記通信回線を用いた前記監視センタへの通報の開始から完了までの時間である通報処理時間とを用いて、前記閉じ込め故障を検出する時から一定時間だけ経過する時に前記監視センタへの通報が完了するように、前記監視センタへの通報を開始するタイミングを算出する通報開始タイミング算出工程と、
前記通報開始タイミング算出工程により算出された前記タイミングで、前記監視センタへの通報を開始する通信制御工程と
を備え、
前記通報開始タイミング算出工程では、複数の種類の前記通信回線のそれぞれに対応した複数の前記通報処理時間の中から、用いられる前記通信回線に対応する前記通報処理時間を選択して前記タイミングを算出することを特徴とするエレベータ閉じ込め監視方法。
【発明の詳細な説明】
【技術分野】
【０００１】
この発明は、かご呼びに応答してかごが目的階に到着した時から戸閉状態が所定時間だけ継続する場合に、かごの閉じ込め故障を検出して、通信回線を用いて監視センタへの通報を行うエレベータ閉じ込め監視装置およびエレベータ閉じ込め監視方法に関する。
【背景技術】
【０００２】
従来、かご呼びに応答してかごが目的階に到着した時から戸閉状態が所定時間だけ継続する場合に、かごの閉じ込め故障を検出する閉じ込め故障検出部と、閉じ込め故障検出部がかごの閉じ込め故障を検出する時に、通信回線を用いて監視センタに通報する通信制御部とを備えたエレベータ閉じ込め監視装置が知られている（例えば、特許文献１参照）。
【先行技術文献】
【特許文献】
【０００３】
【特許文献１】特開平１０−５９６３８号公報
【発明の概要】
【発明が解決しようとする課題】
【０００４】
しかしながら、例えば、通信回線としてブロードバンド回線のように常時接続するような回線を用いていない場合、通信制御部が監視センタへの通報を開始してから通報が完了するまでに長い時間がかかってしまう。これにより、かごの閉じ込め故障が検出される時から監視センタへの通報が完了するまでの時間が長くなってしまうという問題点があった。
【０００５】
この発明は、閉じ込め故障が検出される時から監視センタへの通報が完了するまでの時間を短縮することができるエレベータ閉じ込め監視装置およびエレベータ閉じ込め監視方法を提供するものである。
【課題を解決するための手段】
【０００６】
この発明に係るエレベータ閉じ込め監視装置は、かご呼びに応答してかごが目的階に到着した時から戸閉状態が所定時間だけ継続する場合に、前記かごの閉じ込め故障を検出する閉じ込め故障検出部を備え、前記閉じ込め故障検出部が前記かごの閉じ込め故障を検出する場合に、通信回線を用いて監視センタへの通報を行うエレベータ閉じ込め監視装置であって、前記通信回線を用いた前記監視センタへの通報の開始から完了までの時間である通報処理時間を予め記憶する通報処理時間記憶部と、前記所定時間と前記かごが到着した時からの経過時間と前記通報処理時間とを用いて、前記閉じ込め故障検出部が前記かごの閉じ込め故障を検出する時から一定時間だけ経過する時に前記監視センタへの通報が完了するように、前記監視センタへの通報を開始するタイミングを算出する通報開始タイミング算出部と、前記通報開始タイミング算出部により算出された前記タイミングで、前記監視センタへの通報を開始する通信制御部とを備え、前記通報処理時間記憶部は、複数の種類の前記通信回線のそれぞれに対応した複数の前記通報処理時間を記憶し、前記通報開始タイミング算出部は、複数の前記通報処理時間の中から、用いられる前記通信回線に対応する前記通報処理時間を選択して前記タイミングを算出する。
【０００７】
この発明に係るエレベータ閉じ込め監視方法は、かご呼びに応答してかごが目的階に到着した時から戸閉状態が所定時間だけ継続する場合に、前記かごの閉じ込め故障を検出して、通信回線を用いて監視センタへの通報を行うエレベータ閉じ込め監視方法であって、前記所定時間と、前記かごが到着した時からの経過時間と、前記通信回線を用いた前記監視センタへの通報の開始から完了までの時間である通報処理時間とを用いて、前記閉じ込め故障を検出する時から一定時間だけ経過する時に前記監視センタへの通報が完了するように、前記監視センタへの通報を開始するタイミングを算出する通報開始タイミング算出工程と、前記通報開始タイミング算出工程により算出された前記タイミングで、前記監視センタへの通報を開始する通信制御工程とを備え、前記通報開始タイミング算出工程では、複数の種類の前記通信回線のそれぞれに対応した複数の前記通報処理時間の中から、用いられる前記通信回線に対応する前記通報処理時間を選択して前記タイミングを算出する。
【発明の効果】
【０００８】
この発明に係るエレベータ閉じ込め監視装置によれば、かご呼びに応答してかごが目的階に到着した時から戸閉状態が所定時間だけ継続する場合に、かごの閉じ込め故障を検出する閉じ込め故障検出部と、通信回線を用いた監視センタへの通報の開始から完了までの時間である通報処理時間を予め記憶する通報処理時間記憶部と、所定時間とかごが到着した時からの経過時間と通報処理時間とを用いて、閉じ込め故障検出部がかごの閉じ込め故障を検出する時から一定時間だけ経過する時に監視センタへの通報が完了するように、監視センタへの通報を開始するタイミングを算出する通報開始タイミング算出部と、通報開始タイミング算出部により算出されたタイミングで、監視センタへの通報を開始する通信制御部とを備えているので、通信制御部は、閉じ込め故障が検出される前に、監視センタへの通報を開始する。その結果、閉じ込め故障が検出される時から監視センタへの通報が完了するまでの時間を短縮することができる。
【０００９】
この発明に係るエレベータ閉じ込め監視方法によれば、かご呼びに応答してかごが目的階に到着した時から戸閉状態が所定時間だけ継続する場合に、かごの閉じ込め故障を検出して、通信回線を用いて監視センタへの通報を行うエレベータ閉じ込め監視方法であって、閉じ込め故障を検出するための所定時間と、かごが到着した時からの経過時間と、通信回線を用いた監視センタへの通報の開始から完了までの時間である通報処理時間とを用いて、閉じ込め故障を検出する時から一定時間だけ経過する時に監視センタへの通報が完了するように、監視センタへの通報を開始するタイミングを算出する通報開始タイミング算出工程と、通報開始タイミング算出工程により算出されたタイミングで、監視センタへの通報を開始する通信制御工程とを備えているので、閉じ込め故障が検出される前に、監視センタへの通報を開始する。その結果、閉じ込め故障が検出される時から監視センタへの通報が完了するまでの時間を短縮することができる。
【図面の簡単な説明】
【００１０】
【図１】この発明の実施の形態１に係るエレベータシステムを示すブロック図である。
【図２】図１のエレベータ閉じ込め監視装置の動作を示すフローチャートである。
【発明を実施するための形態】
【００１１】
実施の形態１．
図１はこの発明の実施の形態１に係るエレベータシステムを示すブロック図である。図において、エレベータシステムは、かご（図示せず）の昇降およびかごドア（図示せず）によるかご出入口（図示せず）の開閉を制御するエレベータ制御盤１と、エレベータ制御盤１の制御を監視するエレベータ監視装置２と、エレベータ監視装置２が通信回線３を用いて通報する監視センタ４とを備えている。エレベータ制御盤１およびエレベータ監視装置２から、エレベータ閉じ込め監視装置５が構成されている。通信回線３としては、例えば、アナログ回線、デジタル回線およびブロードバンド回線などが挙げられる。
【００１２】
エレベータ制御盤１は、かご内に乗客が閉じ込められたこと、つまり、かごの閉じ込め故障を検出する閉じ込め故障検出部１１と、エレベータ監視装置２との間で通信を行う監視装置通信部１２とを有している。
【００１３】
閉じ込め故障検出部１１は、かご呼びに応答してかごが目的階に到着した時から戸閉状態が継続する場合に、かごが到着した時からの経過時間を計測する。戸閉状態とは、かご出入口がかごドアにより閉じられている状態である。また、閉じ込め故障検出部１１は、かごの閉じ込め故障を検出するための所定時間を記憶している。また、閉じ込め故障検出部１１は、記憶している所定時間から計測した経過時間を引いた時間である閉じ込め検出カウント時間Ｔ２を、随時、算出する。閉じ込め検出カウント時間Ｔ２の算出に用いられる所定時間は、かご呼びに応答してかごが目的階に到着した時から閉じ込め故障が検出されるまでの時間であり、かご内の乗客がかごに設けられたインターホンを用いて、外部へ連絡するための猶予時間として設定されるものである。この例では、所定時間として、６０秒が設定されている。なお、この所定時間は、６０秒に限らず、その他の時間が設定されてもよい。一般的には、所定時間として、３０秒〜６０秒が設定される。
【００１４】
閉じ込め故障検出部１１は、経過時間が所定時間に達した場合、つまり、閉じ込め検出カウント時間Ｔ２がゼロになった場合に、かごの閉じ込め故障を検出する。閉じ込め故障検出部１１が計測する経過時間は、かごが戸開すると、ゼロとなる。したがって、この場合、閉じ込め検出カウント時間Ｔ２は、所定時間となる。かごの戸開とは、かごドアの移動により、かご出入口が開くことである。
【００１５】
監視装置通信部１２は、閉じ込め故障検出部１１が算出した閉じ込め検出カウント時間Ｔ２を、随時、エレベータ監視装置２に送信する。また、監視装置通信部１２は、閉じ込め故障検出部１１がかごの閉じ込め故障を検出する場合に、かごの閉じ込め故障が発生したこと示す閉じ込め故障信号をエレベータ監視装置２に送信する。
【００１６】
エレベータ監視装置２は、エレベータ制御盤１との間で通信を行う制御盤通信部２１と、監視センタ４への通報を開始するタイミングを算出する通報開始タイミング算出部２２と、通報開始タイミング算出部２２により算出されたタイミングで、通信回線３を用いて監視センタ４への通報を行う通信制御部２３と、通信回線３を用いた監視センタ４への通報の開始から完了までの時間である通報処理時間Ｔ１を記憶する通報処理時間記憶部２４とを有している。
【００１７】
制御盤通信部２１は、監視装置通信部１２から送信された閉じ込め検出カウント時間Ｔ２を受信して、受信した閉じ込め検出カウント時間Ｔ２を通報開始タイミング算出部２２に入力する。また、制御盤通信部２１は、監視装置通信部１２から送信された閉じ込め故障信号を受信して、受信した閉じ込め故障信号を通信制御部２３に入力する。
【００１８】
通信回線３を用いた通信制御部２３から監視センタ４への通報は、用いる通信回線３の通信速度や回線接続方式の違いによって、通報の開始から通報の完了までの時間である通報処理時間Ｔ１が異なる。通報処理時間記憶部２４は、複数の種類の通信回線３のそれぞれに対応した複数の通報処理時間Ｔ１を記憶している。記憶されている通報処理時間Ｔ１は、例えば、ブロードバンド回線の場合には０秒、アナログ回線の場合には３０秒、デジタル回線の場合には１０秒と設定されている。
【００１９】
通報開始タイミング算出部２２は、通報処理時間記憶部２４に記憶されている複数の通報処理時間Ｔ１の中から、用いられる通信回線３に対応する通報処理時間Ｔ１を選択して取得する。また、通報開始タイミング算出部２２は、監視装置通信部１２から送信された閉じ込め検出カウント時間Ｔ２から通報処理時間Ｔ１を引いた時間である通報開始カウント時間Ｔ３を算出する。つまり、通報開始タイミング算出部２２は、下記の式（１）により通報開始カウント時間Ｔ３を算出する。
Ｔ３＝Ｔ２−Ｔ１      （１）
【００２０】
通信制御部２３は、通報開始タイミング算出部２２が算出する通報開始カウント時間Ｔ３が設定時間となった場合に、監視センタ４への通報を開始する。この例では、設定時間として、−５秒の時間が設定されている。これにより、通信制御部２３は、閉じ込め故障検出部１１がかごの閉じ込め故障を検出してから一定時間である５秒間の経過後に監視センタ４への通報を完了する。なお、この一定時間は、通報開始カウント時間Ｔ３の設定時間を変更することにより、任意の時間を設定することができる。
【００２１】
次に、エレベータ閉じ込め監視装置５の動作について説明する。図２は、図１のエレベータ閉じ込め監視装置５の動作を示すフローチャートである。まず、通報開始タイミング算出部２２は、通報処理時間記憶部２４から、通報処理時間Ｔ１を取得する（ステップＳ１０１）。その後、通報開始タイミング算出部２２は、閉じ込め故障検出部１１から、閉じ込め検出カウント時間Ｔ２を取得する（ステップＳ１０２）。
【００２２】
その後、通報開始タイミング算出部２２は、上記の式（１）を用いて、通報開始カウント時間Ｔ３を算出する（通報開始タイミング算出工程）（ステップＳ１０３）。その後、通報開始タイミング算出部２２は、算出した通報開始カウント時間Ｔ３が−５秒以下であるか否かを判定する（ステップＳ１０４）。ステップＳ１０４で、通報開始カウント時間Ｔ３が−５秒以下ではないと通報開始タイミング算出部２２が判定すると、ステップＳ１０３に戻る。
【００２３】
一方、ステップＳ１０４で、通報開始カウント時間Ｔ３が−５秒以下であると通報開始タイミング算出部２２が判定すると、通信制御部２３は、閉じ込め故障が検出される前に、監視センタ４への通報を開始する（通信制御工程）（ステップＳ１０５）。
【００２４】
その後、通報開始タイミング算出部２２は、上記の式（１）を用いて、再び、通報開始カウント時間Ｔ３を算出し、算出した通報開始カウント時間Ｔ３が−５秒以下であるか否かを判定する（ステップＳ１０６）。ここで、戸閉状態のままの場合には、通報開始カウント時間Ｔ３は、−５秒以下のままとなる。一方、戸開した場合には、閉じ込め検出カウント時間Ｔ２が所定時間、つまり６０秒となるので、通報開始カウント時間Ｔ３は、−５秒よりも大きな値となる。
【００２５】
ステップＳ１０６で、通報開始カウント時間Ｔ３が−５秒以下であると通報開始タイミング算出部２２が判定すると、通信制御部２３は、閉じ込め故障検出部１１から閉じ込め故障信号を受信したか否かを判定する（ステップＳ１０７）。ステップＳ１０７で、閉じ込め故障信号を受信していないと通信制御部２３が判定すると、ステップＳ１０６に戻る。
【００２６】
一方、ステップＳ１０７で、閉じ込め故障信号を受信したと通信制御部２３が判定すると、閉じ込め故障が検出された時から一定時間、この例では、５秒後に監視センタ４への通報が完了し、エレベータ閉じ込め監視装置５の動作が終了する。
【００２７】
ステップＳ１０６で、通報開始カウント時間Ｔ３が−５秒以下ではないと通報開始タイミング算出部２２が判定すると、かごが戸開しているので、通信制御部２３は、監視センタ４への通報が完了する前に通報を中止し（通報中止工程）（ステップＳ１０８）、エレベータ閉じ込め監視装置５の動作が終了する。
【００２８】
以上説明したように、この発明の実施の形態１に係るエレベータ閉じ込め監視装置５によれば、かご呼びに応答してかごが目的階に到着した時から戸閉状態が所定時間だけ継続する場合に、かごの閉じ込め故障を検出する閉じ込め故障検出部１１と、通信回線３を用いた監視センタ４への通報の開始から完了までの時間である通報処理時間Ｔ１を予め記憶する通報処理時間記憶部２４と、所定時間とかごが到着した時からの経過時間と通報処理時間Ｔ１とを用いて、閉じ込め故障検出部１１がかごの閉じ込め故障を検出する時から一定時間だけ経過する時に監視センタ４への通報が完了するように、監視センタ４への通報を開始するタイミングを算出する通報開始タイミング算出部２２と、通報開始タイミング算出部２２により算出されたタイミングで、監視センタ４への通報を開始する通信制御部２３とを備えているので、通信制御部２３は、閉じ込め故障が検出される前に、監視センタ４への通報を開始する。その結果、閉じ込め故障が検出される時から監視センタ４への通報が完了するまでの時間を短縮することができる。
【００２９】
また、通報処理時間記憶部２４は、複数の種類の通信回線３のそれぞれに対応した複数の通報処理時間Ｔ１を記憶し、通報開始タイミング算出部２２は、複数の通報処理時間Ｔ１の中から、用いられる通信回線３に対応する通報処理時間Ｔ１を選択して監視センタ４への通報を開始するタイミングを算出するので、エレベータ閉じ込め監視装置５を通信回線３が異なる複数のビルに設置する場合に、それぞれの通信回線３に対応する通報処理時間Ｔ１を用いることができる。これにより、閉じ込め故障が検出された時から監視センタ４に通報されるまでの時間を、複数のビルの間で均一化することができる。
【００３０】
また、通信制御部２３は、監視センタ４への通報を開始した場合であって、閉じ込め故障検出部１１がかごの閉じ込め故障を検出する時から一定時間だけ経過する前にかごが戸開した場合には、監視センタ４への通報を中止するので、閉じ込め故障が検出される前に戸開した場合に、監視センタ４に誤って通報されることを防ぐことができる。
【００３１】
また、この発明の実施の形態１に係るエレベータ閉じ込め監視方法によれば、かご呼びに応答してかごが目的階に到着した時から戸閉状態が所定時間だけ継続する場合に、かごの閉じ込め故障を検出して、通信回線３を用いて監視センタ４への通報を行うエレベータ閉じ込め監視方法であって、閉じ込め故障を検出するための所定時間と、かごが到着した時からの経過時間と、通信回線３を用いた監視センタ４への通報の開始から完了までの時間である通報処理時間Ｔ１とを用いて、閉じ込め故障を検出する時から一定時間だけ経過する時に監視センタ４への通報が完了するように、監視センタ４への通報を開始するタイミングを算出する通報開始タイミング算出工程と、通報開始タイミング算出工程により算出されたタイミングで、監視センタ４への通報を開始する通信制御工程とを備えているので、閉じ込め故障が検出される前に、監視センタ４への通報を開始する。その結果、閉じ込め故障が検出される時から監視センタ４への通報が完了するまでの時間を短縮することができる。
【００３２】
なお、上記実施の形態１では、エレベータ閉じ込め監視装置５がエレベータ制御盤１およびエレベータ監視装置２を備えた構成について説明したが、例えば、閉じ込め故障検出部１１をエレベータ監視装置２に配置する場合には、エレベータ閉じ込め監視装置５は、エレベータ制御盤１を備えず、エレベータ監視装置２を備えた構成であってもよい。
【符号の説明】
【００３３】
１  エレベータ制御盤、２  エレベータ監視装置、３  通信回線、４  監視センタ、５  エレベータ閉じ込め監視装置、１１  閉じ込め故障検出部、１２  監視装置通信部、２１  制御盤通信部、２２  通報開始タイミング算出部、２３  通信制御部、２４  通報処理時間記憶部。
【図１】
0005750035.tif 000002
【図２】
0005750035.tif 000003